(57)【要約】【課題】長さ全体にわたり所望の可変支持レベルを提供するブラジャーカップ用プラスチック製ストリップ支持特徴部及びこれを備えたブラジャー並びに方法を提供する。【解決手段】  ブラジャー（100）は、アンダーワイヤの形状をしたプラスチック製ストリップ支持特徴部を有し、このストリップ支持特徴部は、その長さに沿って所望の「締まり具合」又は「堅固さ」を提供し、それにより、その長さに沿って所望の支持具合を提供することができるプラスチック製ストリップを有する。ストリップ支持特徴部は、持ち上げパネル（144）、補強パッド（140）、胸骨領域（142）又は拡張魚骨状パターン（130）の形状をしている。好ましくは、プラスチック製ストリップは、少なくとも１つのポリマー層及び少なくとも１つの第２の材料層を有し、これら層が互いに固定されるよう層相互間には接着剤が施されている。【選択図】図１２
2014237903.tif 000002
【特許請求の範囲】
【請求項１】
プラスチック製ストリップを有するブラジャーカップ用プラスチック製ストリップ支持特徴部であって、前記プラスチック製ストリップは、ポリマーの少なくとも１つの層及び第２の材料の少なくとも１つの層を含み、前記プラスチック製ストリップ支持特徴部は、持ち上げパネル、補強パッド、胸骨領域又は拡張魚骨状パターンの形状をしている、ブラジャーカップ用プラスチック製ストリップ支持特徴部。
【請求項２】
前記プラスチック製ストリップは、前記ポリマーの少なくとも２つの層を有し、前記第２の材料の前記少なくとも１つの層は、前記ポリマーの前記少なくとも２つの層相互間にサンドイッチされた状態で形成されている、請求項１記載のブラジャーカップ用プラスチック製ストリップ支持特徴部。
【請求項３】
前記第２の材料は、ポリマー、ファブリック及びフォームを含む群から選択されている、請求項１記載のブラジャーカップ用プラスチック製ストリップ支持特徴部。
【請求項４】
前記プラスチック製ストリップは、その長さに沿って一様な横方向寸法を有するよう前記ポリマー及び前記第２の材料の一定数の層を有する、請求項１記載のブラジャーカップ用プラスチック製ストリップ支持特徴部。
【請求項５】
前記プラスチック製ストリップは、その長さに沿って可変横方向寸法を有するようその長さに沿って前記ポリマー及び前記第２の材料のうちの少なくとも一方の不定数の層を有する、請求項１記載のブラジャーカップ用プラスチック製ストリップ支持特徴部。
【請求項６】
前記寸法は、前記プラスチック製ストリップの一端のところの最小値から前記プラスチック製ストリップの他端のところの最大値まで漸変している、請求項５記載のブラジャーカップ用プラスチック製ストリップ支持特徴部。
【請求項７】
前記ポリマーは、エチレンビニルアセテート（ＥＶＡ）、樹脂又はポリ塩化ビニル（ＰＶＣ）から成る群から選択される、請求項１記載のブラジャーカップ用プラスチック製ストリップ支持特徴部。
【請求項８】
前記プラスチック製ストリップ支持特徴部は、前記プラスチック製ストリップから所望の形状を切断することにより形成されている、請求項１記載のブラジャーカップ用プラスチック製ストリップ支持特徴部。
【請求項９】
前記プラスチック製ストリップ支持特徴部は、成形により形成されている、請求項１記載のブラジャーカップ用プラスチック製ストリップ支持特徴部。
【請求項１０】
前記ポリマーの各層と前記第２の材料の前記少なくとも１つの層との間のインターフェイスのところに設けられていて、前記層を互いにくっつける接着材料を更に有する、請求項１記載のブラジャーカップ用プラスチック製ストリップ支持特徴部。
【請求項１１】
前記プラスチック製ストリップ支持特徴部は、ブラジャーカップの縁部領域内に配置されている、請求項１記載のブラジャーカップ用プラスチック製ストリップ支持特徴部。
【請求項１２】
前記プラスチック製ストリップ支持特徴部は、前記ブラジャーカップの構成材料の層相互間に配置されている、請求項１記載のブラジャーカップ用プラスチック製ストリップ支持特徴部。
【請求項１３】
請求項１記載の１対の前記ブラジャーカップを有するブラジャー。
【請求項１４】
プラスチック製ストリップ支持特徴部を備えたブラジャー部分を製造する方法であって、
（ａ）ポリマーの少なくとも１つの層を用意するステップを有し、
（ｂ）前記ポリマー層の頂部に第２の材料の少なくとも１つの層を設けるステップを有し、
（ｃ）前記ポリマーの前記少なくとも１つの層と前記第２の材料の前記少なくとも１つの層との間のインターフェイスのところに前記層を互いにくっつけて層状プラスチック製ストリップを形成する接着剤を塗布するステップを有し、
（ｄ）前記層状プラスチック製ストリップから前記プラスチック製ストリップ支持特徴部を切断するステップを有し、前記層状プラスチック製ストリップから切断された前記プラスチック製ストリップ支持特徴部の寸法形状は、以下のステップ（ｈ）に記載されているように熱を加えた後においては前記ブラジャーの前記プラスチック製ストリップ支持特徴部に所望の寸法形状に一致し、
（ｅ）前記ブラジャー部分をトラフにより形成するモールドを用意するステップを有し、
（ｆ）前記ブラジャー部分を構成するブラジャー部分材料を前記モールド内に布設して前記ブラジャー部分材料のうちの何割かが前記トラフ中に延びるようにするステップを有し、
（ｇ）前記層状プラスチック製ストリップから切断された前記プラスチック製ストリップ支持特徴部を前記トラフ中に延びている前記ブラジャー部分材料上に位置決めするステップを有し、
（ｈ）前記プラスチック製ストリップ支持特徴部を軟化するのに十分な熱を前記モールドに加えて前記ポリマー層が前記トラフの形状により定められる所望の形状に圧密化し、溶解して連続ストリップの状態になり、そして前記ブラジャー部分材料と一緒になって材料片全体を形成するようにするステップを有する、方法。
【請求項１５】
前記ステップ（ｂ）では、フォーム、ファブリック及びポリマーを含む群から選択された前記第２の材料を用意する、請求項１４記載の方法。
【請求項１６】
前記ブラジャー部分は、カップであり、前記プラスチック製ストリップ支持特徴部は、アンダーワイヤであり、前記ステップ（ｈ）の実施中、前記プラスチック材料は、前記アンダーワイヤの一端から他端まで可変又は一様な幅及び／又は深さを有する前記アンダーワイヤを形成するよう前記トラフ内で圧密化する、請求項１４記載の方法。
【請求項１７】
前記ステップ（ａ）では、前記ポリマーの多数の層を用意する、請求項１４記載の方法。
【請求項１８】
前記ステップ（ａ）及び前記ステップ（ｂ）は各々では、所望の形状及び厚さのプラスチック材料が完成するまで前記ステップのそれぞれの前記ポリマー及び前記第２の材料の多数の層を用意する、請求項１４記載の方法。
【請求項１９】
前記ステップ（ｆ）では、前記ブラジャーカップを構成する材料の別の層を布設して前記ステップ（ｈ）の実施前に前記トラフ中の前記プラスチック材料を覆う、請求項１４記載の方法。
【発明の詳細な説明】
【技術分野】
【０００１】
本発明は、ブラジャーに関する。本発明は、特に、特別に形成されたプラスチック製ストリップ支持特徴部を有するブラジャー及び特別に形成されたプラスチック製ストリップ支持特徴部を用いたかかるブラジャー用のカップを製造する方法に関するが、これらには限定されない。
【背景技術】
【０００２】
公知のブラジャーは、各カップの底部に縫い込まれた堅い又は腰のある金属製アンダーワイヤを有する。
【発明の概要】
【発明が解決しようとする課題】
【０００３】
かかるアンダーワイヤは、適当な支持レベルを提供することができるが、所与の使用時間後においては不快であり、見苦しく且つブラジャーから突き出る場合がある。かかる金属製アンダーワイヤは又、これらの長さに全体にわたって一定断面及び一定堅さのものであり、従って、これらの長さ全体にわたって所望の可変支持レベルを提供するものではない。
【０００４】
本発明の目的は、上述の欠点を解決し又は実質的に軽減すると共に／或いはより一般的に、改良型のブラジャーカップ用プラスチック製ストリップ支持特徴部付きのブラジャー及びこのための製造方法を提供することにある。
【課題を解決するための手段】
【０００５】
本明細書において、プラスチック製ストリップを有するブラジャーカップ用プラスチック製ストリップ支持特徴部が開示される。プラスチック製ストリップ支持特徴部は、持ち上げパネル、補強パッド、胸骨領域又は拡張魚骨状パターンの形状をしているのが良い。かかるプラスチック製ストリップ支持特徴部は、その長さに沿って所望の「締まり具合」又は「堅固さ」を提供し、それによりその長さに沿って所望の支持具合を提供することができる。
【０００６】
好ましくは、プラスチック製ストリップは、ポリマーの少なくとも１つの層を有する。
【０００７】
プラスチック製ストリップは、第２の材料の少なくとも１つの層を更に有するのが良く、少なくとも１つのポリマー層及び少なくとも１つの第２材料層は、サンドイッチの形態をしている。
【０００８】
好ましくは、プラスチック製ストリップは、ポリマーの少なくとも２つの層を有し、第２の材料の少なくとも１つの層は、ポリマーの少なくとも２つの層相互間にサンドイッチされた状態で形成される。
【０００９】
好ましくは、第２の材料は、ポリマー、ファブリック及びフォームを含む群から選択される。
【００１０】
プラスチック製ストリップは、その長さに沿って一様な横方向寸法を有するようポリマー及び第２の材料の一定数の層を有することが好ましい。
【００１１】
変形例として、プラスチック製ストリップは、その長さに沿って可変横方向寸法を有するようその長さに沿ってポリマー及び第２の材料のうちの少なくとも一方の不定数の層を有しても良い。
【００１２】
好ましくは、寸法は、プラスチック製ストリップ支持特徴部の一端のところの最小値からプラスチック製ストリップ支持特徴部の他端のところの最大値まで漸変する。
【００１３】
好ましくは、ポリマーは、エチレンビニルアセテートである。
【００１４】
好ましくは、ポリマーは、樹脂である。
【００１５】
好ましくは、好ましくは、プラスチック製ストリップは、サンドイッチの形態に互いにくっつけられたポリマー層と第２材料層で形成される。
【００１６】
好ましくは、プラスチック製ストリップ支持特徴部は、当初、プラスチック製ストリップから所望の形状を切断することにより形成される。
【００１７】
本明細書において、縁部領域及び／又は外側領域内に配置された上述のプラスチック製ストリップ支持特徴部を有するブラジャーカップが更に開示される。
【００１８】
好ましくは、プラスチック製ストリップ支持特徴部は、カップの構成材料の層相互間に配置され、更に、プラスチック製ストリップ支持特徴部は、カップの形成時に定位置に成形される。
【００１９】
本明細書において、１対の上述したブラジャーカップを有するブラジャーが更に開示される。
【００２０】
さらに、本明細書において、プラスチック製ストリップ支持特徴部を備えたブラジャーの部分を製造する方法であって、
（ａ）ポリマーの少なくとも１つの層を用意するステップを有し、
（ｂ）ポリマー層の頂部に第２の材料の少なくとも１つの層を設けるステップを有し、
（ｃ）ポリマーの少なくとも１つの層と第２の材料の少なくとも１つの層との間のインターフェイスのところに層を互いにくっつけて層状プラスチック製ストリップを形成する接着剤を塗布するステップを有し、
（ｄ）層状プラスチック製ストリップからプラスチック製ストリップ支持特徴部を切断するステップを有し、層状プラスチック製ストリップから切断されたプラスチック製ストリップ支持特徴部の寸法形状は、以下のステップ（ｈ）に記載されているように熱を加えた後においてはブラジャーのプラスチック製ストリップ支持特徴部に所望の寸法形状に一致し、
（ｅ）ブラジャー部分をトラフにより形成するモールドを用意するステップを有し、
（ｆ）ブラジャー部分を構成するブラジャー部分材料をモールド内に布設してブラジャー部分材料のうちの何割かがトラフ中に延びるようにするステップを有し、
（ｇ）層状プラスチック製ストリップから切断されたプラスチック製ストリップ支持特徴部をトラフ中に延びているブラジャー部分材料上に位置決めするステップを有し、
（ｈ）プラスチック製ストリップ支持特徴部を軟化するのに十分な熱をモールドに加えてプラスチック製ストリップ支持特徴部がトラフの形状により定められる所望の形状に圧密化し、溶解して連続ストリップの状態になり、そしてブラジャー部分材料と一緒になって材料片全体を形成するようにするステップを有することを特徴とする方法が開示される。
【００２１】
好ましくは、第２の材料は、フォーム、ファブリック及びポリマーを含む群から選択されるのが良い。
【００２２】
好ましくは、ブラジャー部分は、カップであり、プラスチック製ストリップ支持特徴部は、アンダーワイヤであり、プラスチック材料は、アンダーワイヤの一端から他端まで可変又は一様な幅及び／又は深さを有するアンダーワイヤを形成するようトラフ内で圧密化する。
【００２３】
オプションとして、上述の方法は、ポリマーの追加の層並びにこれらポリマー層相互間にサンドイッチされた第２の材料の追加の層を用意するステップを更に有するのが良い。
【００２４】
さらに、ブラジャーカップを構成する材料の別の層を布設して、熱を加えるステップの実施前にトラフ中のプラスチック材料を覆うのが良い。
【００２５】
次に、添付の図面を参照して本発明の好ましい形態を例示として説明する。
【図面の簡単な説明】
【００２６】
【図１】ブラジャーの概略斜視図である。
【図２】プラスチック製ストリップ支持特徴部の概略立面図である。
【図３】図２のプラスチック製ストリップ支持特徴部の厚手の端部分の概略断面端面図である。
【図４】図２のプラスチック製ストリップ支持特徴部の薄手の端部分の概略断面端面図である。
【図５】先行技術のアンダーワイヤの概略断面立面図である。
【図６】図５の先行技術のアンダーワイヤの概略立面図である。
【図７】図２のプラスチック製ストリップ支持特徴部の概略断面立面図である。
【図８】図７のプラスチック製ストリップ支持特徴部の概略立面図である。
【図９Ａ】本発明の一実施形態に従ってプラスチック製ストリップを構成する非一様材料の断面図である。
【図９Ｂ】本発明の別の実施形態に従ってプラスチック製ストリップを構成する一様な材料の断面図である。
【図１０】長さに沿って可変深さのアンダーワイヤを備えたブラジャーカップを形成するために用いられるモールドの概略斜視図である。
【図１１】長さに沿って可変幅のアンダーワイヤを備えたブラジャーカップを形成するために用いられるモールドの概略斜視図である。
【図１２】本発明の別の実施形態としてのプラスチック製ストリップ支持特徴部を備えたブラジャーの概略斜視図である。
【図１３】図１２の魚骨パターンの形態のプラスチック製ストリップ支持特徴部の概略側面図である。
【図１４】図１２のプラスチック製ストリップ支持特徴部の概略断面側面図である。
【図１５】図１２の魚骨パターンの形態のプラスチック製ストリップ支持特徴部の概略側面図である。
【図１６】図１２の可変深さ及び／又は可変幅の魚骨パターンの形態のプラスチック製ストリップ支持特徴部を備えたブラジャーカップを形成するために用いられるモールドの概略側面図である。
【発明を実施するための形態】
【００２７】
添付の図面の図１には、１対の乳房カップ、１対のショルダーストラップ、前側バンド、１対のアンダーワイヤ１１及び前側バンドの延長部である後側ストラップを有するブラジャー１０が概略的に示されている。後側ストラップは、面ファスナ４０によって互いに連結されている。ブラジャーは、１対の持ち上げ（アップリフト）パネル４２及びカップ相互間の補強中央胸骨領域１７を更に有する。
【００２８】
アンダーワイヤ１１の形態をしたプラスチック製ストリップ支持特徴部が図２〜図４に示されている。アンダーワイヤ１１は、プラスチック製ストリップを有する。プラスチック製ストリップは、ポリマーの少なくとも１つの層を単独で又はフォーム及び／又はファブリックの少なくとも１つの層と一緒に有する。フォーム又はファブリックを使用するかどうかは、用途に応じた選択上の問題である。オプションとして、プラスチック製ストリップは、アンダーワイヤの一端のＡのところに示された最大値からアンダーワイヤの他端のところのＢで示された最小値まで厚さが変化するのが良い。上述したように、変形例として、アンダーワイヤは、その長さに沿って可変幅のものであっても良い。
【００２９】
この実施形態では、ポリマー１２の少なくとも１つの層は、図７及び図８に示されているようにフォーム１４の層相互間に配置されている。
【００３０】
プラスチック製ストリップ支持特徴部の厚さ（又は幅）の変化度は、所望の支持具合に応じた選択事項である。この図では、アンダーワイヤ１１の形態をしたプラスチック製ストリップ支持特徴部の厚さは、ＡとＢとの間で次第に変化している。アンダーワイヤ１１は、図３及び図４に示されているようにフォーム１３により包囲されている。フォーム１３及びアンダーワイヤ１１は、代表的には、製造プロセス中、ブラジャーカップの底縁部領域中に成形される。変形例として、アンダーワイヤ１１をブラジャーカップに対して定位置に位置決めすると共に保持し、次に、アンダーワイヤ１１をブラジャーカップそれ自体中に積層しても良い。
【００３１】
アンダーワイヤ１１の一端部（代表的には、着用者の肩の最も近くに位置する端部）は、最も厚く、これに対し、アンダーワイヤ１１の他端部（代表的には、着用者の胸骨の最も近くに位置する端部）は、最も薄い。これにより、アンダーワイヤ１１のその長さに沿う堅さの漸減が得られる。アンダーワイヤ１１の長さに沿う支持具合及び快適さを微調整するため、互いに異なる材料及び材料厚さを採用することができる。確かに、互いに異なる女性の解剖学的構造に合うようにするためには、種々のカップサイズについて種々の形態が必要な場合がある。
【００３２】
図５及び図６は、比較のために含まれており、図５及び図６は、典型的な先行技術のアンダーワイヤ構造を示している。先行技術では、アンダーワイヤは、金属製ワイヤループ１１Ａによって包囲された中央の金属製ワイヤ１１Ｂを有する。これら２つの部分は、フォーム１３中に包み込まれている。フォーム１３は、堅い金属製コアからの或る程度の保護度を提供するが、ワイヤの堅固さの結果として、不快感が生じる。
【００３３】
他方、図７及び図８は、本発明に従って作られたアンダーワイヤ１１の形態をしたプラスチック製ストリップ支持特徴部を示しており、この場合、アンダーワイヤ１１も又、フォーム１３によって包囲されている。図８に示されているように、アンダーワイヤ１１の厚さ又は深さは、一端から他端まで次第に減少している。この場合、寸法Ａは、Ｂよりも大きい。
【００３４】
図７は、フォーム１４の層相互間にポリマー１２の層を備えたプラスチック製ストリップを有するアンダーワイヤ１１を示しており、このプラスチック製ストリップは、アンダーワイヤ１１の一端のＡのところに示された最大値からアンダーワイヤ１１の他端のところのＢで示された最小値まで厚さが変化している。
【００３５】
アンダーワイヤ１１は、代表的には、ブラジャーのカップと前側バンドとの間の移行位置に形成されると共に配置される。アンダーワイヤ１１は、その平べったい側部が着用者の体に向いた状態で差し向けられ、アンダーワイヤ１１の凸状側部が体から遠ざかって外方に向くようになっている。ブラジャーカップは、アンダーワイヤ１１が配置される層相互間のフォームプラスチック材料の積層品として形成される場合がある。
【００３６】
別の実施形態では、アンダーワイヤ１１は、その長さ全体にわたり一定一様な厚さのものであっても良い。アンダーワイヤの厚さは、ポリマーの層の数及び用いられるフォーム及び／又はファブリックの層の数で決まる。
【００３７】
図９Ａは、本発明の一観点によるプラスチック材料２０を示しており、プラスチック製ストリップ支持特徴部をかかるプラスチック材料から切り抜くことができ又は違ったやり方でこれから製造することができる。プラスチック材料２０は、ポリマー１２の１つ又は２つ以上の層及びポリマー１２とのサンドイッチの形態に配置された第２の材料１４の１つ又は２つ以上の層を有するよう作られている。ポリマー１２の層の数及び第２の材料１４の層の数は、所望のプラスチック製ストリップ支持特徴部の最終形状及び最終厚さに応じてプラスチック材料２０の長さに沿って様々であって良い。先行技術の形態に記載した仕方と同様な仕方で、ポリマー１２及び第２の材料１４の厚さ（及び／又は幅）も又、様々であって良い。図９Ａの実施形態は、ポリマー１２及び第２の材料１４の追加の層を有することによって材料２０の一端部が他端部よりも厚い状態を示している。この場合、所望の形状及び所望の厚さのプラスチック製ストリップ支持特徴部を図示の材料２０から切断することができる。プラスチック製ストリップ支持特徴部は、図１に示されているように、アンダーワイヤ１１、補強パッド１４０、持ち上げパネル４２又は胸骨領域１７の形状をしているのが良い。追加的に又はオプションとして、プラスチック製ストリップ支持特徴部は、図１２に示されているように、持ち上げパネル１４４、補強パッド１４０、胸骨領域１４２又は拡張魚骨状パターン１３０という別の形状を取ることができる。注目されるように、材料２０から切断された所望の形状は、プラスチック製ストリップ支持特徴部に関する最終／所望の寸法形状に個別に対応することができる。というのは、その最終形状は、ブラジャーカップの残部とのプラスチック製ストリップ支持特徴部の成形プロセス中、幾分変化する場合があるからであり、かかる成形プロセスについては、図１０及び図１１と関連して説明する。拡張魚骨状パターン１３０は、図１３、図１４、図１５及び図１６に更に示されている。拡張魚骨状パターン１３０の骨１１１の各々の厚さ、幅及び長さは、所望の形状に応じて様々であって良い。拡張魚骨状パターン１３０の本体１２１も又、その長さに沿って異なる厚さ及び異なる幅を有して良い。図１３、図１５及び図１６に示されているように、本体１２１の幅Ａ及び幅Ｂは、互いに異なる値のものである。同様に、本体１２１の厚さＸ及び幅Ｙは、図１４に示されているように、互いに異なる値のものである。
【００３８】
図９Ｂは、本発明のプラスチック製ストリップ支持特徴部を本発明の別の実施形態に従って構成するプラスチック材料２０を示している。この実施形態では、材料２０も又、サンドイッチの形態をしたポリマー１２の層及び第２の材料１４の層を有している。しかしながら、図９Ａに示されている構成とは異なり、図９Ｂに示されたポリマー１２の層の数及び第２の材料１４の層の数は、プラスチック材料２０の長さに沿って一定であり、その結果、プラスチック材料２０の一様な厚さが得られている。この場合、所望形状及び所望厚さのプラスチック製ストリップ支持特徴部を図示の材料から切断することができる。プラスチック製ストリップ支持特徴部は、図１に示されているように、アンダーワイヤ１１、補強パッド４０、持ち上げパネル４２又は胸骨領域１７の形状をしているのが良い。追加的に又はオプションとして、プラスチック製ストリップ支持特徴部は、図１２に示されているように、持ち上げパネル１４４、補強パッド１４０、胸骨領域１４２又は拡張魚骨状パターン１３０という別の形状を取ることができる。
【００３９】
オプションとして、ポリマーの各層と第２の材料の少なくとも１つの層との間のインターフェイスのところにこれら層が互いにくっつくようにする接着剤を用いるのが良く、その結果、これら材料は、次の処理中、これらの相対位置を維持するようになる。
オプションとして、プラスチック製ストリップは、第２の材料１４の層が設けられない状態で、ポリマー１２の１つ又は２つ以上の層だけを有しても良い。第２の材料１４は、ポリマー、ファブリック及びフォームから成る群から選択されるのが良い。
確かに、所望の支持の大きさに応じて、ポリマーの層だけを有するかファブリック及び／又はフォームの層と一緒にポリマーの層の組み合わせを有するかのいずれかのプラスチック材料を提供することは、選択上の問題である。
【００４０】
図１０は、ブラジャーカップ及びアンダーワイヤ１１の形態のプラスチック製ストリップ支持特徴部を成形するモールド１５を示している。このモールドは、アンダーワイヤ１１の全体形状を定めるトラフ１６を有している。トラフ１６は、Ａのところが深く、Ｂのところが浅い。ファブリック及び／又はフォーム材料の所望の層をモールド１５上に布設し又は被着させ、これら層が、トラフ中に延びるようにする。次に、図９Ａ又は図９Ｂのプラスチック材料２０で作られた所望形状及び所望厚さのプラスチック製ストリップをトラフ１６中に延びているファブリック及び／又はフォーム材料上に配置する。トラフ１６の深い端部は、浅い端部よりも多量のプラスチック材料２０を受け入れる。フォーム及び／又はファブリック材料の他の層をプラスチック材料２０に押し付けてこれを包み込む成形プロセス中か成形プロセス後かのいずれかにおいて、プラスチック材料２０を溶融／軟化させるのに十分な熱及び圧力を加えてプラスチック材料２０が長さに沿って不定深さの連続ストリップの状態に溶融し、ファブリック及び／又はフォーム材料と一緒に材料片全体を形成するようにする。
【００４１】
図１１は、ブラジャーカップ及びアンダーワイヤ１１の形態のプラスチック製ストリップ支持特徴部を成形する別のモールド１５を示している。モールドは、アンダーワイヤ１１の全体形状を定めるトラフ１６を有する。一様深さのトラフ１６は、Ａのところが広幅であり、Ｂのところが細幅である。ファブリック及び／又はフォーム材料の所望の層をモールド１５上に布設し又は被着させ、これら層が、トラフ中に延びるようにする。次に、図９Ａ又は図９Ｂのプラスチック材料２０で作られた所望形状のプラスチック製ストリップをトラフ１６中に延びているファブリック及び／又はフォーム材料上に配置する。トラフ１６の広幅端部は、細幅端部よりも多量のプラスチック材料２０を受け入れる。フォーム及び／又はファブリック材料の他の層をプラスチック材料２０に押し付けてこれを包み込む成形プロセス中か成形プロセス後かのいずれかにおいて、プラスチック材料２０を溶融／軟化させるのに十分な熱及び圧力を加えてプラスチック材料２０が長さに沿って不定深さの連続ストリップの状態に溶融し、ファブリック及び／又はフォーム材料と一緒に材料片全体を形成することができるようにする。
【００４２】
図１に示されている特徴部４０，４２，１７は、事実上、アンダーワイヤを製造する上述の方法と同一の方法によって形成された補強及び支持パネルを有するのが良いブラジャーの他の部分の例である。これらは、代表的には、余分の強度を必要とすると共に追加の支持作用を提供するブラジャーの領域である。例えば、典型的な面ファスナ４０の後ろに補強パッドを組み込むことが望ましい場合がある。これにより、ユーザは、フック形ファスナをループ形ファスナに確実に固定することができる。ブラジャーカップ相互間の胸骨領域１７のところでは、余分の補強が望ましい場合がある。さらに、特別な持ち上げパネル４２が各カップの外縁部領域に設けられる場合がある。これら特徴部の各々は、上述した仕方と同様な仕方で熱で合体されるべき粒状プラスチック材料を受け入れるキャビティを有するモールドによって提供されても良い。持ち上げパネル４２及び胸骨補強領域１７を上述したプラスチック製ストリップ支持特徴部として個々に作っても良い。変形例として、持ち上げパネル４２及び胸骨補強領域１７は、別のプラスチック製ストリップ支持特徴部の延長部としてこのプラスチック製ストリップ支持特徴部と一体に形成されても良い。
【００４３】
当業者には明らかな改造例及び変形例が本発明の範囲を超えるものではないということは理解されるべきである。例えば、プラスチック製ストリップ又はプラスチック製ストリップ支持特徴部を製造する方法においてポリマー／フォーム／ファブリック材料の連続一定長さのストリップを用いるのではなく、ポリマー／フォーム材料の連続不定長さのストリップを段階的に互いに上下に布設して材料の厚さがプラスチック製ストリップに沿って変化するようにしても良い。次に、熱及び圧力を加えてこれら層を互いに合体させて層相互間の段部を除去するのが良い。さらに、異なる厚さのポリマーを一緒に又は別々に用いてプラスチック製ストリップを形成しても良い。さらに又、２つ又は３つ以上のポリマー層を用いてプラスチック製ストリップを形成しても良く、この場合、ポリマー層のうちの少なくとも２つは、樹脂、ＰＶＣ（ポリ塩化ビニル）又はＥＶＡ（エチレンビニルアセテート）から成る群から選択された別のポリマーで構成される。したがって、本発明は、説明した実施形態には限定されず、上述の用語により示唆される範囲全体並びにその均等範囲を有するものである。
【符号の説明】
【００４４】
１０  ブラジャー
１１  アンダーワイヤ
１２  ポリマー
１３  フォーム
１７，１４２  胸骨領域
４０，１４０  面ファスナ又は補強パッド
４２，１４４  持ち上げパネル
１１１  骨
１２１  拡張魚骨状パターン本体
１３０  拡張魚骨状パターン
【図１】
2014237903.tif 000003
【図２】
2014237903.tif 000004
【図３】
2014237903.tif 000005
【図４】
2014237903.tif 000006
【図５】
2014237903.tif 000007
【図６】
2014237903.tif 000008
【図７】
2014237903.tif 000009
【図８】
2014237903.tif 000010
【図９Ａ】
2014237903.tif 000011
【図９Ｂ】
2014237903.tif 000012
【図１０】
2014237903.tif 000013
【図１１】
2014237903.tif 000014
【図１２】
2014237903.tif 000015
【図１３】
2014237903.tif 000016
【図１４】
2014237903.tif 000017
【図１５】
2014237903.tif 000018
【図１６】
2014237903.tif 000019
【外国語明細書】
2014237903000001.pdf